(57)【要約】【課題】液晶パネル及びＥＬパネルを用いた表示装置において、ＥＬパネルに表示された画像の一部又は全部と重なり合わない位置に液晶パネルを配置可能にする。【解決手段】液晶パネル１２は、筒部１２２及び軸１１１を介して有機ＥＬパネル１３に回動可能に連結されている。液晶パネル１２は、図１（ａ），（ｃ）に示す閉じ合わせ位置と、図１（ｂ），（ｄ）に示す展開位置とに切り換え配置可能である。液晶パネル１２が展開位置にあるときには、液晶パネル１２は、有機ＥＬパネル１３の正面側で有機ＥＬパネル１３に重ね合わせられ、有機ＥＬパネル１３が液晶パネル１２の背後に配置される。【選択図】　　　図１
2004021044.tif 000002
【特許請求の範囲】
【請求項１】
画像表示可能な１つのＥＬ（エレクトロルミネッセンス）パネル、及び１つ若しくは複数の液晶パネルを有する表示装置において、
前記表示装置は、ＥＬパネルの発光方向の側において、液晶パネルがＥＬパネルと略平行で、ＥＬパネルの表示と液晶パネルの表示とが一部又は全部重なる相対位置に各パネルが配置される閉じ合わせ状態と、ＥＬパネルの表示と液晶パネルの表示とが重ならない相対位置又はＥＬパネルの表示と液晶パネルの表示とが重なる領域が閉じ合わせ状態よりも狭い相対位置に各パネルが配置される展開状態とに切り替える切り替え機構を備えた表示装置。
【請求項２】
前記ＥＬパネルは、カラーＥＬパネルである請求項１に記載の表示装置。
【請求項３】
前記ＥＬパネルは、有機エレクトロルミネッセンス素子である請求項１及び請求項２のいずれか１項に記載の表示装置。
【請求項４】
前記ＥＬパネルは、全面発光可能である請求項１乃至請求項３のいずれか１項に記載の表示装置。
【請求項５】
前記切り替え機構は、各液晶パネルをＥＬパネルに対して相対的に回動させる機構である請求項１乃至請求項４のいずれか１項に記載の表示装置。
【請求項６】
前記切り替え機構は、各液晶パネルをＥＬパネルに対して相対的に平行移動させる機構である請求項１乃至請求項４のいずれか１項に記載の表示装置。
【請求項７】
閉じ合わせ状態及び展開状態のいずれの状態であるかを検出する検出手段と、前記検出手段による検出結果に応じて前記ＥＬパネル及び液晶パネルの表示を制御する制御手段とをさらに有する請求項１乃至請求項６のいずれか１項に記載の表示装置。
【発明の詳細な説明】
【０００１】
【発明の属する技術分野】
本発明は、ＥＬパネル及び液晶パネルを用いた表示装置に関する。
【０００２】
【従来の技術】
上記したような表示装置は、たくさんの情報を表示できるようにするため、表示領域（表示面積）の拡大が求められている。しかし、携帯性や収納性などの制約があるため、表示装置を大きくすることには限界がある。
【０００３】
一方、このような表示装置は、低消費電力化が求められている。この要求に対して、特開平９−５００３１号公報には、液晶パネルの背後に光拡散用の拡散板を配置し、拡散板の背後に有機ＥＬ面状発光体を配置した表示装置が開示されている。この従来の表示装置は、背後光源として有機ＥＬ面状発光体を採用するため、発光ダイオード等を背景光源として用いたそれまでの表示装置に比べて消費電力をきわめて低減できる。
【０００４】
【発明が解決しようとする課題】
しかしながら、上記従来の表示装置は、それまでの表示装置と同程度の表示領域しか得られない。
【０００５】
本発明は、ＥＬパネルに表示された画像（文字、記号、静止画、動画等）の一部又は全部と重なり合わない位置に液晶パネルを配置可能にする表示装置を提供することを目的とする。
【０００６】
【課題を解決するための手段】
本発明に係る表示装置は、画像表示可能な１つのＥＬ（エレクトロルミネッセンス）パネル、及び１つ若しくは複数の液晶パネルを有し、閉じ合わせ状態と展開状態とに切り替える機構（切り替え機構）を備えている。なお、閉じ合わせ状態とは、ＥＬパネルの発光方向の側において、液晶パネルがＥＬパネルと略平行で、ＥＬパネルの表示と液晶パネルの表示とが一部又は全部重なる相対位置に各パネルが配置される状態をいう（いわゆる、液晶パネルとＥＬパネルとが重なった状態）。展開状態とは、ＥＬパネルの表示と液晶パネルの表示とが重ならない相対位置又はＥＬパネルの表示と液晶パネルの表示とが重なる領域が閉じ合わせ状態よりも狭い相対位置に各パネルが配置される状態をいう。
【０００７】
この構成では、展開状態と閉じ合わせ状態とに切り替えることが可能となる。閉じ合わせ状態をとれば例えば、閉じ合わせ状態しかとれない従来の表示装置に比べて表示領域が広くなる。閉じ合わせ状態をとれば例えば、展開状態における表示領域と同一の表示領域を有する従来の表示装置と比べて表面積が小さくなる。
【０００８】
又、閉じ合わせ状態においてＥＬパネルを液晶パネルの背後光源として利用できる。液晶パネルの表示を背後光源なしに認識可能な場所では、ＥＬパネルを背後光源として利用する必要がないため、消費電力を低減できる。
【０００９】
従って、従来の表示装置と略同一の大きさの表示装置において、必要に応じて展開状態と閉じ合わせ状態とを切り替えれば、従来と同様の収納性や携帯性も得られ、従来よりも広い表示領域も得られる。又、低消費電力性も備える。
【００１０】
ＥＬパネルにはカラーＥＬパネルが好ましく採用される。この構成では、ＥＬパネルにカラー画像を表示させることができる。
ＥＬパネルは、有機エレクトロルミネッセンス素子であることが好ましい。このような構成を採用すれば、極めて高画質の画像をＥＬパネルに表示できる。
【００１１】
ＥＬパネルは、全面発光可能なものが好ましく採用され得る。この構成を採用すれば、例えば閉じ合わせ状態においてＥＬパネルを液晶パネルの背後光源として使用する場合、ＥＬパネルを線順次駆動させた場合に比べて消費電力を少なくできる。
【００１２】
切り替え機構は、各液晶パネルをＥＬパネルに対して相対的に回動させる機構が好ましく採用され得る。この機構を採用すれば、液晶パネルをＥＬパネルとの接点（いわゆる回動軸）を中心に回動させる（開く／閉じる）ことで展開状態と閉じ合わせ状態とを切り替えられる。
【００１３】
切り替え機構は、各液晶パネルをＥＬパネルに対して相対的に平行移動させる機構が好ましく採用され得る。この機構を採用すれば、液晶パネルをＥＬパネルに対して相対的に平行移動させる（スライドさせる）ことで展開状態と閉じ合わせ状態とを切り替えられる。
【００１４】
又、閉じ合わせ状態及び展開状態のいずれの状態であるかを検出する検出手段と、前記検出手段による検出結果に応じて前記ＥＬパネル及び液晶パネルの表示を制御する制御手段とをさらに有することが好ましい。これらの手段を備えれば、展開状態と閉じ合わせ状態とで各パネルに表示する画像を自動的に切り替えることが可能となる。例えば、自動的に、閉じ合わせ状態ではＥＬパネルを背後光源として液晶パネルだけに画像を表示し、展開状態ではＥＬパネルにも画像を表示したり、ＥＬパネルと液晶パネルとを一画面として扱ったり、液晶画面の表示を閉じ合わせ状態と反転（左右反転、上下反転等）させることも可能になる。
【００１５】
【発明の実施の形態】
以下、本発明の実施の形態を、図面を参照しながら詳細に説明する。
第１の実施の形態は、液晶パネルがＥＬパネルに対してＥＬパネルの発光方向の側で略平行となり、かつＥＬパネルの表示と液晶パネルの表示とが全部重なる相対位置に液晶パネルが配置される閉じ合わせ状態と、ＥＬパネルの表示と液晶パネルの表示とが重ならない相対位置に各パネルが配置される展開状態とに切り替える切り替え機構を備え、前記切り替え機構が液晶パネルをＥＬパネルに対して相対的に回動させる機構であることを特徴とする。
【００１６】
第２の実施の形態は、液晶パネルがＥＬパネルに対してＥＬパネルの発光方向の側で略平行となり、かつＥＬパネルの表示と液晶パネルの表示とが全部重なる相対位置に液晶パネルが配置される閉じ合わせ状態と、ＥＬパネルの表示と液晶パネルの表示とが重ならない相対位置に各パネルが配置される展開状態とに切り替える切り替え機構を備え、前記切り替え機構が液晶パネルをＥＬパネルに対して相対的に平行移動させる機構であることを特徴とする。
【００１７】
まず、第１の実施の形態について、図１〜図４を参照しながら詳細に説明する。
（第１の実施の形態）
図１に第１の実施の形態に係る表示装置が組み込まれた携帯端末１１を示す。図１（ｂ）に示す展開状態では、液晶パネル１２は、有機ＥＬパネル１３に対して有機ＥＬパネル１３の発光方向（図中の矢印Ｘ方向）の側にはない。つまり、有機ＥＬパネル１３の表示は、液晶パネル１２を通過することなく（介さずに）認識可能である。又、図１（ａ）に示す閉じ合わせ状態では、液晶パネル１２は、有機ＥＬパネル１３に対して有機ＥＬパネル１３の発光方向（図中の矢印Ｘ方向）の側に、有機ＥＬパネル１３と略平行に配置される。つまり、有機ＥＬパネル１３の表示は、液晶パネル１２を通過して（介して）認識できる。換言すると、有機ＥＬパネル１３は、液晶パネル１２の背後に配置される。
【００１８】
次に、切り替え機構、液晶パネル１２、有機ＥＬパネル１３をそれぞれ詳細に説明する。
（切り替え機構）
図１（ｂ）に示すように、有機ＥＬパネル１３は、携帯端末１１のフレーム１１３に不動部として組み付けられており、液晶パネル１２は、可動部としてフレーム１１３に組み付けられている。図１（ｃ），（ｄ）に示すように、フレーム１１３の上部には軸１１１が回動可能に設けられている。軸１１１は、図１（ｂ）に示すフレーム１１３の上辺１１４に沿って左右方向〔図１（ａ），（ｂ）に矢印Ｚで示す〕に延びるように配設されている。液晶パネル１２には連結用の筒部１２２が形成されており、筒部１２２には軸１１１が抜け不能に嵌合されている。即ち、液晶パネル１２は、筒部１２２と軸１１１とを介して有機ＥＬパネル１３に回動可能に連結されている。液晶パネル１２は、有機ＥＬパネル１３に対して有機ＥＬパネル１３の発光方向の側で略平行に重なる相対位置と、有機ＥＬパネル１３の表示と液晶パネル１２の表示とが重ならない相対位置との間で、軸１１１を中心にして相対回動可能である。軸１１１及び筒部１２２は、閉じ合わせ状態と展開状態とに切り替える切り替え機構を構成する。
【００１９】
図示の例では、液晶パネル１２は、図１（ａ），（ｃ）に示す閉じ合わせ位置と、閉じ合わせ位置から１８０°回動した図１（ｂ），（ｄ）に示す展開位置とに切り換え配置可能である。即ち、有機ＥＬパネル１３と液晶パネル１２とは、相対的に回動反転可能に連結されており、液晶パネル１２を展開位置に配置した展開状態は、有機ＥＬパネル１３に対して液晶パネル１２を相対的に１８０°回動反転した状態である。なお、有機ＥＬパネル１３に対して液晶パネル１２を最大に回動できる回動角は、１８０°に限らず、１８０°より小さくなるようにしてもよく、大きくてもよい。又、複数の回動角で液晶パネル１２を保持できるようにすれば、ユーザーは、表示を見やすい位置にパネルを配置できるため好ましい。なお、このような構成は、公知の技術を用いることで実現できる。
【００２０】
液晶パネル１２が閉じ合わせ位置にあるときには、液晶パネル１２は、有機ＥＬパネル１３の正面側（有機ＥＬパネル１３の発光方向の側）で有機ＥＬパネル１３に重ね合わせられ、有機ＥＬパネル１３が液晶パネル１２の背後（矢印Ｘとは反対側）に配置される。液晶パネル１２が展開位置にあるときには、携帯端末１１は、開状態にあると言うことにする。液晶パネル１２が閉じ合わせ位置にあるときには、携帯端末１１は、閉状態にあると言うことにする。
【００２１】
液晶パネル１２側には接触端子１２１が設けられており、有機ＥＬパネル１３側には接触端子１１２が設けられている。液晶パネル１２が閉じ合わせ位置にあるときには、接触端子１２１と接触端子１１２とは電気的に非接触状態にある。液晶パネル１２が展開位置にあるときには、接触端子１２１と接触端子１１２とは、電気的接触状態にある。接触端子１１２，１２１は、閉じ合わせ状態及び展開状態のいずれの状態であるかを検出する検出手段３６を構成する。
【００２２】
（液晶パネル１２）
液晶パネル１２は、一対の透明な基板１４，１５と、両基板１４，１５の間に挟まれた液晶１６とを備えている。基板１４，１５は、例えばガラス製である。有機ＥＬパネル１３側に配置された基板１４の一面（液晶１６側の面）には複数の透明な電極１７が平行なストライプ状に配設されている。基板１４の他面（有機ＥＬパネル１３側の面）には偏光板１８が配設されている。
【００２３】
基板１５の一面（液晶１６側の面）には複数の透明な電極１９が平行なストライプ状に配設されている。図１（ａ）の矢印Ｘとは反対方向に有機ＥＬパネル１３を見た場合、電極１７と電極１９とは交差している。つまり、図２から明らかなように、液晶パネル１２の厚みを考えない場合、電極１７と電極１９とは交差している。以下、電極１７と電極１９とのこのような位置関係にある場合、「交差している」と表記する。基板１５の他面（液晶１６とは反対側の面）には偏光板２０が配設されている。
【００２４】
電極１７，１９は、例えばＩＴＯ（インジウム錫酸化物）製である。電極１７，１９の間に直流電界を印加すると、電極１７と電極１９との交差部に対応する液晶１６の部分が遮光領域となる。電極１７，１９の間に直流電界が印加されていない場合には、電極１７と電極１９との交差部に対応する液晶１６の部分が透明領域となる。即ち、液晶パネル１２が単色画液晶パネルの場合には、電極１７と電極１９との各交差部は、液晶パネル１２の画素となる。液晶パネル１２がカラー液晶パネルの場合には、電極１７と電極１９との各交差部は、画素の構成要素の１つ（いわゆるＲＧＢのいずれか１つ）に対応する。
【００２５】
（有機ＥＬパネル１３）
有機ＥＬパネル１３は、透明な基板２１と薄膜の封止膜２２と、基板２１と封止膜２２との間に挟まれた有機エレクトロルミネッセンス層２３とを備えている。基板２１は、ガラス製であり、封止膜２２は、窒化シリコン製である。有機エレクトロルミネッセンス層２３は、赤色発光の有機発光層、青色発光の有機発光層及び緑色発光の有機発光層を積層した白色発光層である。液晶パネル１２側に配置された基板２１の一面（有機エレクトロルミネッセンス層２３側の面）にはカラー化手段としての複数のカラーフィルタ２６、及び複数の透明な電極２４が順次積層して配設されている。複数の電極２４は、平行なストライプ状に配設されている。電極２４は、例えばＩＴＯ（インジウム錫酸化物）製である。
【００２６】
封止膜２２の一面（有機エレクトロルミネッセンス層２３側の面）には複数の反射電極２５が電極２４と交差するように平行なストライプ状に配設されている。反射電極２５としては金属電極（例えば銀−マグネシウム合金やリチウム−アルミニウム合金）が使用されている。反射電極２５は、有機エレクトロルミネッセンス層２３の背後に設けられる光反射手段としても機能する。
【００２７】
陽極となる電極２４と陰極となる反射電極２５との間に直流電界を印加すると、電極２４と反射電極２５との交差部に対応する有機エレクトロルミネッセンス層２３の部分が白色発光する。即ち、電極２４と反射電極２５との各交差部は、有機ＥＬパネル１３の画素となる。封止膜２２、有機エレクトロルミネッセンス層２３、電極２４及び反射電極２５は、白色発光素子としての有機エレクトロルミネッセンス素子２７を構成する。
【００２８】
赤、青又は緑のカラーフィルタ２６は、電極２４と反射電極２５との交差部に対応する位置に配設されている。有機エレクトロルミネッセンス素子２７で発光する白色光は、カラーフィルタ２６を透過した後、対応する色の光となる。有機エレクトロルミネッセンス素子２７で発光する白色光は、赤、青、緑のカラーフィルタ２６の組み合わせにより所望の色に変換される。
【００２９】
有機ＥＬパネル１３は、以下のようにして形成される。ガラス製の基板２１の一方の面にカラーフィルタ２６と電極２４とを順次形成する。次に、有機エレクトロルミネッセンス層２３及び反射電極２５を蒸着等の方法を用いて順次形成する。有機エレクトロルミネッセンス層２３は、平行なストライプ状の電極２４を覆う状態で形成される。有機エレクトロルミネッセンス層２３を形成した後、複数の反射電極２５が電極２４と交差する平行なストライプ状に形成される。このとき、電極２４と反射電極２５との間の絶縁性、及び隣接する電極２４同士間の絶縁性を確保するための絶縁膜（図示略）を設ける。又、反射電極２５同士間の絶縁性を確保するため、反射電極２５と平行に延びる隔壁（図示略）を設ける。反射電極２５を形成した後、有機エレクトロルミネッセンス層２３を保護する目的のため、プラズマＣＶＤ等の製造方法を用いて封止膜２２を形成する。
【００３０】
次に、図４の制御回路を説明する。駆動回路２９，３０は、電極１７，１９間に直流電界を印加し、駆動回路３１，３２は、電極２４と反射電極２５との間に直流電界を印加する。駆動回路２９，３０，３１，３２は、制御手段３３からの制御信号によって駆動制御される。
【００３１】
制御手段３３には検出手段３６が信号接続されている。接触端子１１２，１２１を備えた検出手段３６は、接触端子１１２，１２１が電気的接触状態にあるときには展開検出信号を制御手段３３に出力する。
【００３２】
制御手段３３は、検出手段３６による検出結果に応じて液晶パネル１２と有機ＥＬパネル１３とを制御する。つまり、表示装置が展開状態にあるか閉じ合わせ状態にあるかで、各パネルを制御する。どのような制御を行うかは、予め登録された設定（制御モード）に従う。制御モードとしては、例えば、検出手段３６により表示装置が閉じ合わせ状態にあると検出された場合に、液晶パネル１２に画像を表示し、有機ＥＬパネル１３を背後光源とするモードがある。又、展開状態にあると検出された場合に、液晶パネル１２及び有機ＥＬパネル１３にそれぞれ異なる画像を表示するモードもあり、液晶パネル１２にのみ画像を表示して有機ＥＬパネル１３には何も表示しないようにするモードもある。
【００３３】
制御手段３３にはモード指示手段３４が信号接続されている。モード指示手段３４は、図示しないキー入力部等を備え、制御モードを入力できるようにしてもよい。即ち、予め登録された設定とは異なる制御モードをユーザーが指定できるようにしてもよい。本実施の形態の場合、モード指示手段３４は、有機ＥＬパネル１３を発光させない無発光モードと、有機ＥＬパネル１３を照明用光源として発光させる照明モードと、カラーＥＬパネルに画像を表示する画像モードとのいずれか１つを指示可能である。無発光モード、照明モード及び画像モードのうちのいずれかがモード指示手段３４によって指示されると、制御手段３３は、モード指示手段３４によって指示されたモードに入る。制御手段３３及びモード指示手段３４は、有機ＥＬパネル１３を発光させない無発光モードと、有機ＥＬパネル１３を照明用光源として発光させる照明モードと、有機ＥＬパネル１３に画像を表示する画像モードとのいずれかを切り換え選択するモード選択手段３５を構成する。
【００３４】
次に、携帯端末１１の作用を説明する。携帯端末１１の電源は投入されているものとする。
図１（ａ）及び図３（ａ）に示すように携帯端末１１が閉状態にあり、検出手段３６が展開検出信号を出力していないものとする。モード指示手段３４におけるキー操作によって無発光モードが指示されている場合、制御手段３３は、電極１７，１９間への直流電界の印加を許容し、かつ電極２４と反射電極２５との間への直流電界の印加を禁止している。即ち、液晶パネル１２は、画像表示可能状態にあり、有機エレクトロルミネッセンス素子２７は、無発光状態にある。液晶パネル１２側から有機ＥＬパネル１３側に向けて偏光板２０から反射電極２５のところまで入射した外光は、反射電極２５によって反射する。明るい場所では、液晶パネル１２に表示されている画像は、反射電極２５における外光の反射によって良好に視認可能である。図１（ａ）では、液晶パネル１２における画像の例としてＡが示されている。
【００３５】
携帯端末１１が閉状態にあり、検出手段３６が展開検出信号を出力していないものとする。モード指示手段３４におけるキー操作によって照明モードが指示されている場合、制御手段３３は、電極１７，１９間への直流電界の印加を許容し、かつ有機エレクトロルミネッセンス素子２７全体への直流電界の印加を許容している。即ち、液晶パネル１２は、画像表示可能状態にあり、かつ有機エレクトロルミネッセンス素子２７が全面発光している。照明モードにおける有機エレクトロルミネッセンス素子２７の全面発光は、低い駆動電流の連続供給によって全ての電極２４と全ての反射電極２５との間に直流電界を連続印加して得られる。従って、有機ＥＬパネル１３は、照明モードでは連続して全面同時発光する。暗い場所では、液晶パネル１２に表示されている画像は、有機エレクトロルミネッセンス素子２７における全面発光によって良好に視認可能である。
【００３６】
携帯端末１１が閉状態にあり、検出手段３６が展開検出信号を出力していないものとする。モード指示手段３４におけるキー操作によって画像モードが指示されている場合、制御手段３３は、電極１７，１９間への直流電界の印加を禁止しており、かつ有機エレクトロルミネッセンス素子２７への直流電界の印加を許容している。即ち、液晶パネル１２は、光透過状態にあり、有機ＥＬパネル１３は、画像表示可能状態にある。液晶パネル１２における画像及び有機ＥＬパネル１３における画像は、液晶パネル１２側から視認される。
【００３７】
図１（ｂ）及び図３（ｂ）に示すように携帯端末１１が開状態にあり、検出手段３６が展開検出信号を出力しているものとする。この場合には、制御手段３３は、モード指示手段３４におけるキー操作によるモード指示に関係なく、電極１７，１９間への直流電界の印加を許容し、かつ電極２４と反射電極２５との間への直流電界の印加を許容している。即ち、液晶パネル１２及び有機ＥＬパネル１３は、画像表示可能状態にある。そして、液晶パネル１２に画像表示を行う場合、制御手段３３は、携帯端末１１が閉状態にあるときの液晶パネル１２における画像表示に対して反転した関係の画像表示を液晶パネル１２に対して行う。即ち、携帯端末１１が展開状態にあるときには、液晶パネル１２の画像は、閉じ合わせ状態における画像の上下左右を反転した画像である。明るい場所では、液晶パネル１２に表示されている画像は、透過光によって良好に視認可能である。図１（ｂ）では、液晶パネル１２における画像の例としてＡが示されており、有機ＥＬパネル１３における画像の例としてＢが示されている。携帯端末１１が開状態にあるときには、液晶パネル１２と有機ＥＬパネル１３とは、液晶パネル１２の画像と有機ＥＬパネル１３の画像とが重なり合うことなく個別に視認可能な相対位置に配置されている。
【００３８】
第１の実施の形態では以下のような効果が得られる。
（１−１）液晶パネル１２は、透過光を減衰させる。そのため、液晶パネル１２と有機ＥＬパネル１３とを重ね合わせた状態では、液晶パネル１２を通して視認する有機ＥＬパネル１３の画像の質が低下する。液晶パネル１２を通して視認する有機ＥＬパネル１３の画像の質を高めるには、有機ＥＬパネル１３に供給される駆動電流の値を高くすればよいが、そうすると消費電力が増える。携帯端末１１の開状態では有機ＥＬパネル１３の画像が液晶パネル１２を通すことなく視認でき、有機ＥＬパネル１３の画像の質が光減衰によって低下することはない。従って、従来の単体の有機ＥＬパネルの画像の質を得る上で必要な駆動電流と同程度の駆動電流によって有機ＥＬパネル１３の画像表示を行えばよく、有機ＥＬパネルと液晶パネルとを単に重ね合わせた閉じ合わせ状態しかとれない表示装置に比べて、低消費電力化が可能である。
【００３９】
（１−２）展開状態と閉じ合わせ状態とは、有機ＥＬパネル１３に対して液晶パネル１２を相対的に回動することによって切り替えられる。このような回動反転を行うための操作は容易であり、このような回動反転を行うための切り替え機構は、軸１１１と筒部１２２との組み合わせという簡素な機構である。有機ＥＬパネル１３と液晶パネル１２とを相対的に回動反転可能に連結した構成は、簡素な機構でもって携帯端末１１を閉じ合わせ状態と展開状態とに容易に切り換える構成として好適である。
【００４０】
（１−３）携帯端末１１が開状態にあるときには、液晶パネル１２の表示と
有機ＥＬパネル１３の表示とが重ならない相対位置に液晶パネル１２と有機ＥＬパネル１３とが配置される。このような展開状態では、携帯端末１１における表示領域は、液晶パネル１２における表示領域と有機ＥＬパネル１３における表示領域との和となる。従って、携帯端末１１の開状態では、液晶パネル１２と有機ＥＬパネル１３との両方に画像を表示して画像情報を増やすことができる。一方、携帯端末１１が閉じ合わせ状態にあるときには、携帯端末１１が展開状態における表示領域と同一の表示領域（即ち、液晶パネル１２の表示領域と有機ＥＬパネル１３の表示領域とを合わせた大きさの表示領域）を有する従来の表示装置と比べて表面積が小さくなる。従って、携帯端末１１の不作動時における携帯端末１１のコンパクト性を確保して従来と同様の収納性や携帯性を確保することができる。即ち、閉じ合わせ状態において従来と同じ表示面積を有する表示装置であっても、展開状態にすることで従来以上の表示面積が得られる。又、閉じ合わせ状態にすることで従来と同じ収納性や携帯性が得られる。
【００４１】
展開状態と閉じ合わせ状態とに切り替えできる構成の採用によって必要に応じて表示領域を増やしたり、必要に応じて従来の表示装置と同程度にコンパクトにできる表示装置は、大きさが限定される携帯機器等への採用に特に好適である。
【００４２】
（１−４）展開状態では、液晶パネル１２と有機ＥＬパネル１３とにそれぞれ異なる画像（例えば、液晶パネル１２には文字画像あるいは記号を表示し、有機ＥＬパネル１３には静止画あるいは動画を表示）を表示するといった変化に富んだ表示を行うことも可能である。あるいは展開状態において、液晶パネル１２と有機ＥＬパネル１３との一方にのみ画像表示することもできる。
【００４３】
（１−５）展開状態では、ある画像の一部を液晶パネル１２で表示し、残りの部分を有機ＥＬパネル１３に表示することも可能である。同じ画像を液晶パネル１２と有機ＥＬパネル１３とに配分して表示する場合には、閉じ合わせ状態において液晶パネル１２又は有機ＥＬパネル１３に前記の画像を表示する場合に比べ、画像を大きくして表示することができる。
【００４４】
（１−６）液晶パネル１２を有機ＥＬパネル１３に対して回動反転して展開状態の位置に配置したときには、接触端子１１２と接触端子１２１とが電気的に接触する。この電気的接触に応じて、制御手段３３は、携帯端末１１が閉状態にあるときの液晶パネル１２における画像を上下左右反転した関係の画像を液晶パネル１２に表示させる。携帯端末１１が開状態にあるときに反転された液晶パネル１２における画像は、携帯端末１１が閉じ合わせ状態にあるときの画像を視認する場合と同じ画像として視認できる。従って、液晶パネル１２における画像を常に同じ方向から反転していない正常な画像として認識することができる。
【００４５】
（１−７）一般に、カラーＥＬパネル上の表示が視認可能となるためには、輝度が５０ｃｄ／ｍ２　程度必要である。一方、暗い場所で単色画液晶パネル上の表示を視認するために必要な輝度は１０ｃｄ／ｍ２　程度である。液晶パネル１２を通過する際の光の減衰（例えば１／４程度に減衰）を考慮すると、液晶パネル１２の背後に配設された有機ＥＬパネル１３を照明装置として用いる場合に必要な輝度は、１０ｃｄ／ｍ２　×４＝４０ｃｄ／ｍ２　程度である。
【００４６】
従って、単色表示を行う場合には、有機ＥＬパネル１３単体で表示するよりも、液晶パネル１２の背後照明を有機ＥＬパネル１３で行う方が消費電力が小さい。その結果、液晶パネル１２及び有機ＥＬパネル１３を備えた表示装置は、有機ＥＬパネル１３にてカラー表示が可能であり、しかも単色表示をする場合には、カラーＥＬパネル単体を用いる場合よりも消費電力を小さくすることができるという効果をもたらす。
【００４７】
（１−８）有機エレクトロルミネッセンス素子は、応答性が高く、残光特性がない。そのため、パッシブ・マトリックス方式のような線順次駆動では、（有機ＥＬパネル１３において必要な輝度）×陰極数（反射電極２５の数）の輝度で発光させる必要がある。従って、液晶パネル１２で単色表示をし、有機ＥＬパネル１３で背後照明を行う場合、有機ＥＬパネル１３が線順次駆動（陰極数１００本）であるとすると、有機エレクトロルミネッセンス素子２７の発光時の輝度としては４０００ｃｄ／ｍ２　程度必要となる。
【００４８】
一方、有機ＥＬパネル１３を全面発光させた場合には、有機エレクトロルミネッセンス素子２７は常時発光するため、発光時に必要な輝度は４０ｃｄ／ｍ２　程度である。
【００４９】
有機エレクトロルミネッセンス素子２７は、輝度を上げるためには流す電流を大きくする必要があるが、流れる電流が大きいほど電力から光への変換効率が低下するという特性を有する。
【００５０】
従って、照明モードにおいて有機ＥＬパネル１３を全面発光状態にすることにより、線順次駆動の場合よりも消費電力を低減することができる。
（１−９）液晶パネル１２が単色画液晶パネルである場合、単色画液晶パネルの表示は、明るい場所では有機ＥＬパネル１３を発光させない無発光モードで視認可能であり、暗い場所では有機ＥＬパネル１３を発光させる照明モードで視認可能である。従って、背後光源なしでも液晶パネル１２の表示を認識できる場合等に有機ＥＬパネル１３を発光させなければ、消費電力を少なくすることができる。
【００５１】
（１−１０）明るい場所においても、有機ＥＬパネル１３を液晶パネル１２の背後光源とすれば、液晶パネル１２の表示を鮮明にすることができる。
（１−１１）有機エレクトロルミネッセンス素子２７を構成する反射電極２５は、閉じ合わせ位置にある液晶パネル１２の側とは反対側に配置されている。有機エレクトロルミネッセンス層２３で発光される光は、液晶パネル１２側へ直接向かう光と、液晶パネル１２側とは反対側に向かう光とがあるが、液晶パネル１２側とは反対側へ向かう光は、反射電極２５で反射されて液晶パネル１２側へ向かう。液晶パネル１２側とは反対側に反射電極２５を配設した構成は、有機エレクトロルミネッセンス素子２７において発光した光を液晶パネル１２側から可及的に多く出射させる上で有効である。このような光の出射の増大は、有機エレクトロルミネッセンス素子２７を発光させるための消費電力を減らす上で有効である。
【００５２】
（１−１２）有機エレクトロルミネッセンス素子は、高輝度が可能で、多色化に優れているため、有機エレクトロルミネッセンス素子２７を用いた有機ＥＬパネル１３は、極めて高画質の画像を表示できる。
【００５３】
次に、第２の実施の形態について詳細に説明する。
（第２の実施の形態）
図５に第２の実施の形態に係る表示装置が組み込まれた携帯端末１１Ａを示す。液晶パネル１２Ａの内部構造は、第１の実施の形態における液晶パネル１２と同じであり、有機ＥＬパネル１３Ａの内部構造は、第１の実施の形態における液晶パネル１２と同じである。図５（ａ）に示す閉じ合わせ状態では、液晶パネル１２Ａは、有機ＥＬパネル１３Ａに対して有機ＥＬパネル１３Ａの発光方向（図中の矢印Ｙ方向）の側に、有機ＥＬパネル１３Ａと略平行に配置される。つまり、有機ＥＬパネル１３Ａの表示は、液晶パネル１２Ａを通過して（介して）認識できる。換言すると、有機ＥＬパネル１３Ａは、液晶パネル１２Ａの背後に配置される。又、図５（ｂ）に示す展開状態では、液晶パネル１２Ａは、有機ＥＬパネル１３Ａに対して有機ＥＬパネル１３Ａの発光方向（図中の矢印Ｙ方向）の側にあるが、有機ＥＬパネル１３Ａの表示は、液晶パネル１２Ａを通過することなく（介さずに）認識可能である。
【００５４】
次に、切り替え機構を詳細に説明する。
（切り替え機構）
図５（ｂ）に示すように、フレーム１１３Ａの上半部には収容凹部２８が形成されている。有機ＥＬパネル１３Ａは、収容凹部２８内で携帯端末１１Ａのフレーム１１３Ａに不動部として組み付けられている。液晶パネル１２Ａは、可動部としてフレーム１１３Ａに組み付けられている。図５（ｃ）に示すように、収容凹部２８を形成する側面には溝２８１，２８２が形成されている。溝２８１，２８２は、有機ＥＬパネル１３Ａの画面の上下方向に延びるように配設されている。液晶パネル１２Ａには突条１２３，１２４が形成されている。突条１２３は、溝２８１にスライド可能、かつ溝２８１から抜け不能に嵌入されており、突条１２４は、溝２８２にスライド可能、かつ溝２８２から抜け不能に嵌入されている。即ち、液晶パネル１２Ａは、突条１２３，１２４と溝２８１，２８２とを介して有機ＥＬパネル１３Ａに平行移動可能に連結されている。液晶パネル１２Ａは、有機ＥＬパネル１３Ａに対して有機ＥＬパネル１３Ａの発光方向の側で略平行で重なる相対位置と、有機ＥＬパネル１３Ａの表示と液晶パネル１２Ａの表示とが重ならない相対位置との間で、溝２８１，２８２の方向に平行にスライド移動可能である。突条１２３，１２４及び溝２８１，２８２は、閉じ合わせ状態と展開状態とに切り替える切り替え機構を構成する。
【００５５】
図示の例では、液晶パネル１２Ａは、図５（ａ）に示す閉じ合わせ位置と、液晶パネル１２Ａの画面と有機ＥＬパネル１３Ａの画面とが重なり合わない図１（ｂ），（ｃ）の展開位置とに切り換え配置可能である。即ち、有機ＥＬパネル１３Ａと液晶パネル１２Ａとは、相対的にスライド移動可能に連結されている。
【００５６】
液晶パネル１２Ａが閉じ合わせ位置にあるときには、液晶パネル１２Ａは、有機ＥＬパネル１３Ａの正面側（有機ＥＬパネル１３Ａの発光方向の側）で有機ＥＬパネル１３Ａに重ね合わせられ、有機ＥＬパネル１３Ａが液晶パネル１２Ａの背後（有機ＥＬパネル１３Ａの発光方向とは反対側）に配置される。
【００５７】
図５（ｃ）に示すように、液晶パネル１２Ａ側には接触端子１２１Ａが設けられており、有機ＥＬパネル１３Ａ側には接触端子１１２Ａが設けられている。液晶パネル１２Ａが閉じ合わせ位置にあるときには、接触端子１２１Ａと接触端子１１２Ａとは電気的に非接触状態にある。液晶パネル１２Ａが展開位置にあるときには、接触端子１２１Ａと接触端子１１２Ａとは、電気的接触状態にある。第２の実施の形態においても、第１の実施の形態の検出手段３６と同じ検出手段（図示略）が設けられている。接触端子１１２Ａ，１２１Ａは、この検出手段を構成する。
【００５８】
第２の実施の形態においても、第１の実施の形態の場合と同様の作用がもたらされ、第１の実施の形態における（１−２）項以外の効果と同様の効果が得られる。
【００５９】
又、第２の実施の形態では、展開状態と閉じ合わせ状態とは、有機ＥＬパネル１３Ａに対して液晶パネル１２Ａを相対的に平行移動することによって切り替えられる。このような平行移動を行うための操作は容易であり、このような平行移動を行うための切り替え機構は、溝２８１，２８２と突条１２３，１２４との組み合わせという簡素な機構である。有機ＥＬパネル１３Ａと液晶パネル１２Ａとを相対的に平行移動可能に連結した構成は、簡素な機構でもって携帯端末１１Ａを閉じ合わせ状態と展開状態とに容易に切り換える構成として好適である。
【００６０】
又、第２の実施の形態では、液晶パネル１２Ａが平行移動されるので、液晶パネル１２Ａの画像を反転させる必要なく、液晶パネル１２Ａにおける表示の制御が第１の実施の形態の場合よりも簡単になる。
【００６１】
なお、ＥＬパネルを単なる背後光源（画像表示不能なＥＬパネル）とする構成も可能である。この場合、例えば、携帯端末を手から離して机上にＥＬパネルを寝かせるようにして携帯端末を載置し、液晶パネルとＥＬパネルとを直角に近い状態に展開してＥＬパネルの照明によって液晶パネルの表示を見やすくすることができる。
【００６２】
本発明では以下のような実施の形態も可能である。
（１）第１の実施の形態において、有機ＥＬパネル１３に対して液晶パネル１２を直交状態に配置した状態を表示装置の展開状態とすること。
【００６３】
この展開状態では、照明モードにおける有機ＥＬパネル１３の全面同時発光によって液晶パネル１２を照らして液晶パネル１２における画像を良好に視認することができる。
【００６４】
（２）第１の実施の形態において、フレーム１１３の右辺１１５〔（図１（ｂ）参照〕に沿って上下方向〔図１（ａ），（ｂ）に矢印Ｑで示す〕に延びるように配設された軸を介して、有機ＥＬパネル１３の右側に液晶パネルを回動可能に連結すること。つまり、有機ＥＬパネル１３に対して液晶パネルを右側に回動して展開可能とすること。あるいは有機ＥＬパネル１３の左側に液晶パネルを回動可能に連結し、有機ＥＬパネル１３に対して液晶パネルを左側に回動して展開可能とすること。
【００６５】
有機ＥＬパネル１３に対して液晶パネルを右側又は左側に回動して展開可能にする構成では、第１の実施の形態の場合と同様に、必要に応じて表示領域を増やすことができる。この場合、展開状態における液晶パネルの表示を左右反転させるのが望ましい。このようにすることによって、第１の実施の形態における（１−４）項の場合と同様に、液晶パネルにおける画像を常に同じ方向から正常に視認することができる。
【００６６】
（３）複数色で画像表示可能な液晶パネルを用いること。
このようにすれば液晶パネルのみでカラー表示が可能になる。
（４）赤色発光の有機エレクトロルミネッセンス素子と、青色発光の有機エレクトロルミネッセンス素子と、緑色発光の有機エレクトロルミネッセンス素子とを並設し、これらの素子をそれぞれ独立して発光（いわゆるＲＧＢ発光）させるようにしたカラーＥＬパネルを用いること。
【００６７】
このようなカラーＥＬパネルにおいても、極めて高画質の画像をＥＬパネルに表示できる。
（５）一色発光の有機エレクトロルミネッセンス素子を用いたＥＬパネルを用いること。
【００６８】
赤色、青色あるいは緑色等のいずれかの一色発光の有機エレクトロルミネッセンス素子を使用すれば、所望の単色の発光によって背後照明ができる。
（６）非有機エレクトロルミネッセンス素子を用いたＥＬパネルを用いること。
【００６９】
有機エレクトロルミネッセンス素子を用いた場合には、有機エレクトロルミネッセンス素子を水分や酸素から保護するための手段が必要であるが、非有機エレクトロルミネッセンス素子ではこのような保護手段が不要になる。
【００７０】
（７）ＥＬパネルに全面発光させないようにすること。
液晶パネルの表示を見やすくするための背後照明としてＥＬパネルの全面発光を利用することはできないが、ＥＬパネルを全面発光させないことによる消費電力の低減の効果が得られる。
【００７１】
（８）第１の実施の形態において、フレーム１１３の右辺１１５及び左辺１１６〔（図１（ｂ）参照〕に沿って矢印Ｑで示す上下方向に延びるように配設された軸を介して、有機ＥＬパネル１３の右側及び左側に別々の液晶パネルを回動可能に連結すること。つまり、有機ＥＬパネル１３に対して一対の液晶パネルをいわゆる観音開きができるようにすること。
【００７２】
この場合にも、第１の実施の形態の場合と同様に、必要に応じて表示領域を増やすことができる。
（９）展開状態においても、ＥＬパネルの表示と液晶パネルの表示とが一部重なるようにし、展開状態においてＥＬパネルの表示と液晶パネルの表示とが重なる領域が閉じ合わせ状態の場合よりも広くなるようにすること。例えば、第２の実施の形態において、展開状態では液晶パネル１２Ａの画面と有機ＥＬパネル１３Ａの画面とが有機ＥＬパネル１３Ａの発光方向に見て一部重なるようにしてもよい。展開状態においてＥＬパネルの表示と液晶パネルの表示とが一部重なる構成においても、展開状態における表示領域は、閉じ合わせ状態における表示領域よりも大きくできる。
【００７３】
（１０）閉じ合わせ状態においては、ＥＬパネルの表示と液晶パネルの表示とが一部のみ重なるようにし、展開状態においてはＥＬパネルの表示と液晶パネルの表示とが重なる領域が閉じ合わせ状態の場合よりも広くなるようにすること。例えば、第２の実施の形態において、閉じ合わせ状態では液晶パネル１２Ａの画面と有機ＥＬパネル１３Ａの画面とが有機ＥＬパネル１３Ａの発光方向に見て一部重なるようにし、展開状態では液晶パネル１２Ａの画面と有機ＥＬパネル１３Ａの画面とが有機ＥＬパネル１３Ａの発光方向に見て一部重なるようにしてもよい。但し、展開状態において液晶パネルの表示とＥＬパネルの表示とが重ならない領域が閉じ合わせ状態の場合よりも広くなるようにする。
【００７４】
このように閉じ合わせ状態においてＥＬパネルの表示と液晶パネルの表示とが一部重なり、しかも展開状態においてＥＬパネルの表示と液晶パネルの表示とが一部重なる構成においても、展開状態における表示領域は、閉じ合わせ状態における表示領域よりも大きくできる。
【００７５】
（１１）第１の実施の形態における切り替え機構と同様の機構を用いて、ＥＬパネルの右側、左側、上側あるいは下側のいずれか１つでＥＬパネルに複数の液晶パネルをそれぞれ独立して回動可能に連結し、閉じ合わせ状態では全ての液晶パネルとＥＬパネルとが互いに重なるようにすること。液晶パネルは、本の頁を開くように回動して展開される。ＥＬパネルの発光面側に２枚以上の液晶パネルが配置されたパネルが３枚以上重ねられた構成で、このうちの少なくとも１枚、好ましくは複数枚、さらに好ましくはすべての液晶パネルが展開状態へ展開（回動、スライド等）可能とする。
【００７６】
このように複数の液晶パネルを用いれば、１つの液晶パネルのみを用いた場合に比べて表示領域を更に増やすことができる。
（１２）ＥＬパネルに垂直な軸を中心として、ＥＬパネルと平行な平面に沿って液晶パネルを回動できる切り替え機構を用いること。
【００７７】
この場合、液晶パネル及びＥＬパネルの四角形状の画面の角付近、かつ画面から離れた位置に前記軸の位置を決めれば、閉じ合わせ状態から液晶パネルを９０°ほど回動することによって、液晶パネルの画面とＥＬパネルの画面との重なり領域を無くすことが可能である。
【００７８】
前記したように、本発明に係る表示装置は携帯端末に好ましく採用されるが、この携帯端末を以下のように構成したり制御することで利便性が極めて高くなる。
【００７９】
〈１〉第１又は第２の実施の形態において、携帯端末１１，１１Ａの背面にカメラレンズを設けた撮影機構を携帯端末１１，１１Ａに組み込み、展開状態における液晶パネル１２の画像を有機ＥＬパネル１３の背後側から見られるようにし、前記撮影機構で撮影した画像を液晶パネル１２に表示できるようにすること。
【００８０】
このような携帯端末では、カメラレンズを撮影者本人に向けて撮影する場合、撮影者本人の撮影箇所を展開状態における液晶パネル１２の表示で確認しながら撮影できるという利点がある。
【００８１】
〈２〉図６のフローチャートに示す制御。この場合、携帯端末１１は、メールを受信する受信手段を有している。又、モード指示手段３４（図４参照）におけるキー操作によってメール表示モードの解消指示が可能になっている。
【００８２】
携帯端末１１の電源が投入されている場合、制御手段３３は、メールが受信手段によって受信されたか否かを判断する状態にある（ステップＳ１）。メールが受信されると、制御手段３３は、無発光モードを自動的に選択する（ステップＳ２）。又、制御手段３３は、メール表示モードを自動的に選択して液晶パネル１２（図１参照）にメール情報を表示させる（ステップＳ３）。制御手段３３は、液晶パネル１２でのメール情報の表示を行った後、モード指示手段３４におけるキー操作によるメール表示モードの解消があるか否かを判断する状態に入る（ステップＳ４）。モード指示手段３４におけるキー操作によってメール表示モードの解消の指示が行われると、制御手段３３は、液晶パネル１２におけるメール情報の表示を解消（消去）する（ステップＳ５）。
【００８３】
メール情報（文字情報）を表示するときには、モード指示手段３４におけるキー操作によって照明モードを選択しない限り有機ＥＬパネル１３が発光しない。そのため、明るい場所でのメール情報の表示の際には有機ＥＬパネル１３を発光させないことによって消費電力を低減することができる。
【００８４】
なお、図６のステップＳ４において液晶パネル１２及び有機ＥＬパネル１３（図１参照）の両方にメール情報を表示するという制御プログラムを用いてもよい。
【００８５】
上記した制御は、すべてを表示装置の構成要素（制御手段３３、モード指示手段３４）が行う必要はなく、その一部又は全部を携帯端末の制御手段が行ってもよい。
【００８６】
〈３〉図７のフローチャートに示す制御。この場合、携帯端末１１は、メールを受信する受信手段を有している。又、モード指示手段３４（図４参照）におけるキー操作によってメール表示モードの選択指示及び解消が可能になっている。
【００８７】
携帯端末１１の電源が投入されている場合、制御手段３３は、メールが受信手段によって受信されたか否かを判断する状態にある（ステップＳ１１）。メールが受信されない状態では、制御手段３３は、時刻報知モードを維持して液晶パネル１２に時刻表示を行う（ステップＳ１２）。メールが受信されると、制御手段３３は、メール着信報知モードを選択して液晶パネル１２の時刻表示をメール着信報知の表示に切り替える（ステップＳ１３）。制御手段３３は、メール着信報知モードを選択した後、モード指示手段３４におけるキー操作によるメール表示モードの指示があるか否かを判断する状態に入る（ステップＳ１４）。モード指示手段３４におけるキー操作によってメール表示モードの指示が行われると、制御手段３３は、液晶パネル１２（図１参照）及び有機ＥＬパネル１３（図１参照）にメール情報を表示させる（ステップＳ１５）。制御手段３３は、液晶パネル１２及び有機ＥＬパネル１３でのメール情報の表示を行った後、モード指示手段３４におけるキー操作によるメール表示モードの解消指示があるか否かを判断する状態に入る（ステップＳ１６）。モード指示手段３４におけるキー操作によってメール表示モードの解消の指示が行われると、制御手段３３は、時刻報知モードを選択して、有機ＥＬパネル１３におけるメール情報表示を解消すると共に、液晶パネル１２のメール情報表示を時刻表示に切り替える（ステップＳ１７）。
【００８８】
携帯端末１１の電源を投入してメール着信に待機している状態では、液晶パネル１２上の時刻表示によって時刻を知ることができ、メール情報を表示するときには時刻表示を消去して液晶パネル１２の表示領域全てをメール情報の表示に使うことができる。
【００８９】
なお、図７のステップＳ１５において液晶パネル１２にのみ、あるいは有機ＥＬパネル１３にのみメール情報を表示するという制御プログラムを用いてもよい。
【００９０】
上記した制御は、すべてを表示装置の構成要素（制御手段３３、モード指示手段３４）が行う必要はなく、その一部又は全部を携帯端末の制御手段が行ってもよい。
【００９１】
前記した実施の形態から把握できる発明について以下に記載する。
〔１〕請求項１乃至請求項４のいずれか１項において、前記液晶パネルを単色画液晶パネルとし、前記カラーＥＬパネルを発光させない無発光モードと、前記カラーＥＬパネルを照明用光源として発光させる照明モードと、前記カラーＥＬパネルに画像を表示する画像モードとのいずれかを切り換え選択するモード選択手段を設け、前記光反射によって視認可能な前記単色画液晶パネルの表示画像は、前記照明モードの前記カラーＥＬパネルの発光によって視認可能とした表示装置。
【００９２】
〔２〕前記〔１〕項において、前記照明モードは、前記カラーＥＬパネルの全面を同時発光させる状態である表示装置。
〔３〕前記〔１〕項及び前記〔２〕項のいずれか１項において、前記単色画液晶パネルが画像表示している状態では、前記モード選択手段は、前記無発光モードと前記照明モードとのいずれか一方のみを選択可能である表示装置。
【００９３】
〔４〕前記〔１〕項乃至前記〔３〕項のいずれか１項において、前記モード選択手段は、前記単色画液晶パネルが画像表示していないときにのみ前記画像モードを選択可能である表示装置。
【００９４】
〔５〕前記〔１〕項乃至前記〔４〕項のいずれか１項において、前記有機エレクトロルミネッセンス素子は、白色発光素子である表示装置。
〔６〕請求項１乃至請求項７、前記〔１〕項乃至〔５〕項のいずれかの表示装置を備えた携帯端末。
【００９５】
【発明の効果】
以上詳述したように本発明の表示装置では、液晶パネルをＥＬパネルに表示された画像の一部又は全部と重なり合わない位置に配置可能としたので、必要に応じて表示領域を増やすことができ、必要に応じてコンパクトにできるという優れた効果を奏する。
【図面の簡単な説明】
【図１】第１の実施の形態を示し、（ａ）は、閉じ合わせ状態を示す斜視図。（ｂ）は、展開状態を示す斜視図。（ｃ）は、閉じ合わせ状態を示す要部側面図。（ｄ）は、展開状態を示す要部側面図。
【図２】分解斜視図。
【図３】（ａ）は、閉じ合わせ状態を示す要部側断面図。（ｂ）は、展開状態を示す要部側断面図。
【図４】制御回路図。
【図５】第２の実施の形態を示し、（ａ）は、閉じ合わせ状態を示す斜視図。（ｂ）は、展開状態を示す斜視図。（ｃ）は、展開状態を示す一部破断要部平面図。
【図６】別の実施の形態を示すフローチャート。
【図７】別の実施の形態を示すフローチャート。
【符号の説明】
１１１…切り替え機構を構成する軸。１２，１２Ａ…液晶パネル。１２２…切り替え機構を構成する筒部。１２３，１２４…切り替え機構を構成する突条。１１２，１２１…検出手段を構成する接触端子。１１２Ａ，１２１Ａ…検出手段を構成する接触端子。１３，１３Ａ…有機ＥＬパネル。１６…液晶。２７…有機エレクトロルミネッセンス素子。２８１，２８２…切り替え機構を構成する溝。３３…制御手段。３６…検出手段。
【図１】
2004021044.tif 000003
【図２】
2004021044.tif 000004
【図３】
2004021044.tif 000005
【図４】
2004021044.tif 000006
【図５】
2004021044.tif 000007
【図６】
2004021044.tif 000008
【図７】
2004021044.tif 000009